(57)【要約】      （修正有）【課題】記録再生装置において、記録中又は記録済みのコンテンツ或いは再生中のコンテンツに関する保護情報を認識することができる技術を提供する。【解決手段】記録再生部１内に挿入又は内蔵されている記憶媒体の状態、例えば空き記憶容量は、領域８の左端の位置から領域１１の右端の位置までの幅と全記憶容量（軸７の矢印の全幅）との割合で示される。保護情報表示領域４は、記録媒体１ａに記録されている保護情報の内容に基づいて区分けがなされており、例えば、複製可能領域８、複製世代管理領域９、保持期間制限領域１０、視聴回数制限領域１１、空き領域１２のように、ユーザが目視によって明確に認識できるように異なるハッチなどを付すことにより見やすいように工夫されている。また、記憶内容や記憶時間などとは関係なく、保護情報の種別にみによって区分されている。【選択図】図３
2005339611.tif 000002
【特許請求の範囲】
【請求項１】
情報を記録可能な記憶媒体への記録と記録済み情報の再生との少なくとも一方が可能な記録再生装置であって、
前記記憶媒体に記録済みの情報に関する保護情報を検出する保護情報検出部と、
該保護情報部による検出結果に基づいて保護情報を表示する制御を行う表示制御部と
を有する記録再生装置。
【請求項２】
前記記録媒体は、前記記録再生装置に装着可能又は内蔵されていることを特徴とする請求項１に記載の記録再生装置。
【請求項３】
前記表示制御部は、前記記録媒体の容量を表示する軸と同じ軸方向に前記保護情報の種別を並べて表示させる制御を行うことを特徴とする請求項１又は２に記載の記録再生装置。
【請求項４】
前記表示制御部は、現在記録中又は再生中の情報を指示するポインタを表示させる制御を行うことを特徴とする請求項１から３までのいずれか１項に記載の記録再生装置。
【請求項５】
前記表示制御部は、前記保護情報を前記記録媒体に記録された情報を表示する表示画面に表示させる制御を行うことを特徴とする請求項１から４までのいずれか１項に記載の記録再生装置。
【請求項６】
前記表示制御部は、前記保護情報を表示した領域に前記ポインタを指示させる操作に従って、指示した保護情報の詳細を前記表示画面に表示させる制御を行うことを特徴とする請求項１から５までのいずれか１項に記載の記録再生装置。
【請求項７】
前記表示制御部は、前記保護情報毎に視覚的に異なる配色又は模様を含む表示の制御を行うことを特徴とする請求項１から６までのいずれか１項に記載の記録再生装置。
【請求項８】
前記記憶媒体に記録された記録内容の保護情報を表示させた際に、該保護情報の表示に基づいて、その保護情報の条件に沿った処理を自動的に行うように制御する制御部を有していることを特徴とする請求項１から７までのいずれか１項に記載の記録再生装置。
【発明の詳細な説明】
【技術分野】
【０００１】
本発明は記録再生装置に関し、より詳細には、記録再生装置において、映像・音声及び電子情報を記録再生可能な媒体に記録される記録内容の保護情報の表示技術に関する。
【背景技術】
【０００２】
従来から、テープメディアやディスクメディアに情報を記録したりメディア内の情報を再生したりすることができる記録再生装置において、映像情報、音声情報及びその他の電子情報を記録・再生する場合に、その装置又は記録媒体に関する状態を表示させることができる装置がある。この場合における情報の表示内容としては、記録媒体の記録可能な残量時間、記録済みの使用時間又は再生中の再生時間などがあり、表示方法としては、公知のＯＳＤ技術による、数字による上記内容の表示または帯グラフ状のグラフィックによる上記内容の表示などが挙げられる。また、該当する情報が記録禁止であるか、１回記録可になる情報であるか、記録許可されたものであるかなどの保護情報の表示に関しては、まさに、現在記録しようとしている映像・音声及びその他の電子情報のみに関しての記録再生装置による検出結果を表示するものである。
【０００３】
例えば、下記特許文献１においては、音楽コンテンツをコピーする際に、コピー先の記録媒体の固有情報と、音楽コンテンツの固有情報と、コピー元の記録媒体名との対の情報を装置とコピー先の記録媒体とに記憶し、コピー先の記録媒体が装置に接続された際に、コピー先の記憶情報に基づいてコピー元の記憶媒体名をコピーされた音楽コンテンツのコピー元情報として表示させる技術が記載されている（例えば、特許文献１参照）。
【０００４】
【特許文献１】特開２００２−３３４５５９号公報
【発明の開示】
【発明が解決しようとする課題】
【０００５】
しかしながら、上記特許文献１に記載の技術は、記憶媒体名などを表示させるものであり、記録媒体に記録されている内容に関するというよりは、記録媒体自体の状態に準じた情報を表示するものである。また、保護情報の表示に関しても、従来の技術によれば、一旦、保護情報を記録媒体に記録してしまうと、記録されている内容の保護情報を他の機器が判別することはできても、記録又は再生を行っているその記録装置自体ではそのような情報が得られないという問題があった。このような表示内容および表示方法では、ユーザが記録媒体に記録されている内容の保護情報を正確に把握することができず、例えば、保持期間制限や視聴回数制限により保護された情報に関して、誤って記録や再生などの操作を行ってしまう可能性がある。
【０００６】
また、記録媒体に記録されている内容の保護情報を得るためだけの専用の表示手段を用いることも考えられるが、この場合には、記録中もしくは再生中のタイムリーな情報をユーザが見逃してしまう可能性もある。
【０００７】
本発明は、記録再生装置において、記録中又は記録済みのコンテンツ或いは再生中のコンテンツに関する保護情報を認識することができる技術を提供することを目的とする。
【課題を解決するための手段】
【０００８】
本発明の一観点によれば、情報を記録可能な記憶媒体への記録と記録済み情報の再生との少なくとも一方が可能な記録再生装置であって、前記記憶媒体に記録済みの情報に関する保護情報を検出する保護情報検出部と、該保護情報部による検出結果に基づいて保護情報を表示する制御を行う表示制御部とを有する記録再生装置が提供される。前記表示制御部は、前記記録媒体の容量を表示する軸と同じ軸方向に前記保護情報の種別を並べて表示させる制御を行うことを特徴とする。これにより、情報と保護情報との関係がわかりやすく、かつ、省スペースで表示を行うことが出来る。
【０００９】
前記表示制御部は、現在記録中又は再生中の情報を指示するポインタを表示させる制御を行うことを特徴とする。また、前記表示制御部は、前記保護情報を表示した領域に前記ポインタを指示させる操作に従って、指示した保護情報の詳細を前記表示画面に表示させる制御を行うことを特徴とする。これにより、ポインタに指示される情報に関する保護情報の詳細を容易に認識することができる。
【発明の効果】
【００１０】
記録媒体に既に記録済みの記録情報の種別などを表示させることにより、記録媒体毎に異なる記録済みの情報に関する保護情報を一見して知ることが出来る。また、保護情報の種別やその詳細な内容に関しても、モニタ表示させることにより、容易に報知することができる。この際、保護情報の種別が多い場合であっても、ハッチの種類などを変更することで識別が容易になるという利点がある。さらに、現在再生中又は記録中の情報を指示するポインタを設けることにより、それらに関する保護情報を簡単に知ることができるため、ユーザにとってより使い勝手の良いユーザインターフェースを構成することができるという利点もある。
【発明を実施するための最良の形態】
【００１１】
本発明に係る記録再生装置は、記憶媒体（内蔵も含む）の記録済み情報に関する保護情報を表示することを特徴とするものである。この際、記憶容量に関する軸と保護情報の識別に関する境界が複数設けられる場合のその方向を示す軸とが、同じ軸になるのが好ましい。これにより、媒体の状態（容量などに関する状況）と保護情報に関する情報とを一元的に管理することができ、表示面積の節約にもなる。
【００１２】
本発明の一実施の形態による記録再生装置について以下に素面を参照しつつ説明を行う。図１は、本実施の形態による記録再生装置の概略的な構成例を示す図である。図１に示すように、本実施の形態による記録再生装置Ａは、記録媒体の駆動部１と、表示装置２及び音声出力部ＳＰを含む出力部と、出力制御部２ｂと、を有している。駆動部１は、例えば、ＤＶＤ／ＢＤ１ａ用の第１の駆動装置と、ＨＤＤ１ｂ用の第２の駆動装置と、を有している。出力制御部２ｂは、音声デコーダ２ｂ−１と、映像デコーダ２ｂ−２と、情報検出部２ｂ−３と、映像／ＧＵＩ合成部（ＭＩＸ）２ｂ−４と、を有している。尚、情報検出部２ｂ−３と、映像／ＧＵＩ合成部（ＭＩＸ）２ｂ−４とを含んで、保護情報に関する表示の制御を行う表示制御部を構成している。
【００１３】
記憶媒体にはＴＳ／ＰＳストリーム記録されたデータがあり、例えばＢＳデジタル放送などのように複製世代管理（ＣＧＭＳ）されたコンテンツ、一般的なアナログＵＶ放送のように複製保護されていないコンテンツなどが混在している。ここで、記録媒体の映像・音声再生動作により、音声デコーダ２ｂ−１と映像デコーダ２ｂ−２によりＴＳ／ＰＳストリームがデコードされる。さらに、情報検出部２ｂ−３により、コンテンツの保護情報が検出される。次いで、映像／ＧＵＩ合成部（ＭＩＸ）２ｂ−４において、上記デコードされた映像データと検出された保護情報とが重畳された重畳データが出力され、表示装置２の表示画面に表示される。音声データは、スピーカＳＰにより出力される。
【００１４】
次に、図２（Ａ）、図２（Ｂ）を参照しつつ、記憶したコンテンツが持つ保護情報の表示例について説明する。図２（Ａ）は、記憶媒体における保護情報の表示例であり、図２（Ｂ）は、図２（Ａ）に示す各領域の情報について説明した図である。矢印で示す幅が、記憶媒体の総容量（総記憶可能時間）を示す。図２（Ａ）に示す情報のそれぞれは、右側から空き領域と、制限なし記憶領域と、視聴回数制限記憶領域と、保護期間制限記録領域と、世代管理記録領域と、常時記録領域と、を示す。制限なし記憶領域から常時記憶領域までは、同じ色が付されている。後述するように、空き領域は着色しないことにより記憶媒体の記録可能な残時間を把握しやすくすることができる。
【００１５】
図２（Ｂ）においては、空き領域以外の領域は、一色、例えば青色に着色されている。空き領域以外の領域において説明すると、常時記録領域は、タイムシフト再生用に常時データを蓄積している領域であり、他の領域との境界線が設けられているとともに、この例では右下がりのハッチが付されている。常時記憶領域特有のハッチを付すことにより、同じ色の他の領域における情報との識別が容易になっている。
【００１６】
視聴回数制限記憶領域は、クロスハッチが付されている。制限なし記憶領域は、複製などの制限の無い情報を示す領域である。あとｘ日記憶しておくことが可能であるなどの情報を示す領域であり、ｘに応じて表示を変化させても良い。波型の模様で示す保護期間制限記録領域は、記憶しておける期間を示す領域である。煉瓦模様で示される世代管理記録領域は、例えばリムーバブルメディアへのダビングが移動（ＭＯＶＥ）となり世代が変化するため、ダビング操作を行う際にユーザに対して注意を促すものである。以下、上記実施の形態による記憶再生装置のより具体的な実施例について説明を行う。
【実施例１】
【００１７】
まず、本発明の第１実施例による記録再生装置について図面を参照しつつ説明を行う。図３は、図２を参照して説明した構成をより具体的に示す一例を示す図である。図３に示すように、本実施例による記録再生装置Ａは、記録再生部１と、表示部２と、を有している。記録再生部１と表示部２とは、接続線３により接続されている。記録再生部１は、記録メディアの一例であるＤＶＤディスク１ａを挿入する図示しないスロット部とＤＶＤディスク１ａを駆動する図しない駆動部とを有している。記録再生部１から、映像・音声および電子情報が出力され、その出力情報に基づき表示部２に画面表示されている。
【００１８】
表示部２は、一般的なモニタ、例えば液晶モニタである。液晶モニタ２ｃを有する表示部２は、映像などのコンテンツを表示する表示画面２ａを有しており、表示画面２ａの例えば上端部など主要領域以外に領域に、保護情報表示領域４を有している。保護情報表示領域４は、記録再生部１に内蔵又は現在スロット内に格納されている記録媒体１ａの状態および記録媒体１ａに記録されたコンテンツに関する保護情報を表示しており、この保護情報表示領域４の拡大図５が右側に示されている。符号７で示されるディスク１ａの容量の軸（矢印）の近傍に沿った方向に動くポインタ６が設けられている。ポインタ６は、例えば、ＤＶＤディスク１ａ内にある情報を記録している間は、現在記録しているＤＶＤディスク１ａ内の領域を指示する（空き領域１２内を軸７の右方向に進み、記録処理が進むにつれて、領域８から１１までのいずれか該当する領域の幅は増加する。この際、記録再生部１からの操作によりポインタの動作の制御も行われる。尚、記録情報を削除した場合には、該当する領域幅がその分だけ減少する。記録済み情報の再生中は、ＤＶＤディスク１ａ内の現在再生している情報の領域をポインタ６が指示する。
【００１９】
保護情報表示領域の拡大図５に示すように、記録再生部１内に挿入又は内蔵されている記憶媒体の状態、例えば空き記憶容量は、領域８の左端の位置から領域１１の右端の位置までの幅と全記憶容量（軸７の矢印の全幅）との割合で示される。すなわち、記憶媒体に記録可能な全記憶領域７が矢印で示され、全記憶領域を示す軸７の矢印のうち複製可能な情報が既に記録されている複製可能領域８と、軸７の矢印で示される全幅に相当する領域のうち複製世代管理のある情報が既に記録されている複製世代管理領域９と、軸７の矢印で示される全幅に相当する領域のうち保持期間制限のある情報が既に記録されている保持期間制限領域１０と、上記領域のうち視聴回数制限のある情報が既に記録されている視聴回数制限領域１１と、上記領域のうちの空き領域１２と、で構成されている。このように、保護情報表示領域４は、記録媒体１ａに記録されている保護情報の内容に基づいて区分けがなされており、例えば、複製可能領域８、複製世代管理領域９、保持期間制限領域１０、視聴回数制限領域１１、空き領域１２のように、ユーザが目視によって明確に認識できるように異なるハッチなどを付すことにより見やすいように工夫されている。また、記憶内容や記憶時間などとは関係なく、保護情報の種別にみによって区分されている。
【００２０】
本実施例による記録再生装置によれば、対象となる記憶媒体の保護情報を液晶モニタの表示画面に表示することができるため、例えば現在記録中のコンテンツに関する保護情報の種別が一目でわかる上に、記録媒体の容量を示す軸と保護情報の種別を区分する境界が設けられていく方向とが一致しているため、保護情報と記憶容量とに関する表示領域をよりコンパクトにすることができる。また、保護情報の種別を境界線とともにハッチなどを付すことにより視覚的に認識しやすい形態にすることで、より識別しやすくすることができる。
【実施例２】
【００２１】
次に、本発明の第２実施例について図面を参照しつつ説明を行う。図４は、本実施例による記録再生装置の構成例を示す図であり、基本的には図３と同様の構成を有している。図４に示す構成が図３に示す構成と異なる点は、保護情報表示領域４の拡大図５に示すように、記録媒体１ａ内において同じ保護情報を示す領域内にさらに境界線（図では破線）が示されている点である。例えば、複製世代管理領域９内には境界線９ａが破線で示されており、境界線９ａを境に異なる世代の領域が示されている。また、保持期間制限領域１０内には破線による境界線１０ａが表示されており、境界線１０ａを境に異なる保護期間（例えば、１週間以内、１ヶ月以内、１年以内などによるグループ分けがなされている）が表示されている。さらに、本実施例では、ポインタ６によりある領域を指示すると、その領域に関するより詳細な情報が液晶モニタ２ｃ内に、例えば吹き出しのような形態で表示されるようになっている。図４に示す例では、ポインタ６が複製可能領域８内に位置合わせされており、その詳細な情報である「情報Ａ：複製回数制限無し」との表示が液晶モニタ４に表示されるようになっている。また、例えば、複製世代管理領域９内の境界線９ａを境に右側の領域をポインタ６により指示すると、境界線９ａより右側の領域に関する保護情報の詳細である例えば複製世代２などの表示がされるようになっている。
【００２２】
図５は、図４とほぼ同様の構成を有する図であり、ポインタ６が保持期間制限領域１０内に設けられた破線による境界線１０ａの右側を指示しており、この際に、液晶モニタ２ｃに、例えば吹き出しとして、「情報Ｂ：保持期間制限２００４年１０月３日」などの表示が行われる。これにより、ユーザは、情報Ｂの保持期間制限に関する情報を知ることができる。
【００２３】
本実施例による記録再生装置においては、同じ保護情報でもその詳細が異なっている場合にも、それらを区別して認識することができるとともに、より詳細な情報を知りたい場合には、その領域にポインタを合わせることによりモニタに詳細情報を表示させることができるという点で便利である。尚、これらの表示は、記録中、再生中又は記録待機中に係わらず、記録再生装置が稼動している間は常に主画面表示と同時表示可能状態にしておくようにしても良く、或いは、液晶モニタに表示させるか否かの判断は、ユーザによる操作によって選択できるようにしても良い。
【実施例３】
【００２４】
次に、本発明の第３実施例について説明を行う。保護情報表示領域４の拡大図５において、ポインタ６は、記録中は現在記録している記録媒体の領域を、再生中は現在再生している記録媒体の領域をユーザに対して明確に伝えるためのものである、本実施例ではトリック動作に関連した技術について説明する。トリック動作とは、例えば、記録再生装置においては、録画中の映像を表示装置において最初から再生する“追いかけ再生”、録画中に既に録画されている別の映像を再生する“独立並行録画再生”、再生中のポーズ(一時停止)/スロー再生/コマ送り/早送りなどの“トリック再生”を含む動作であり、通常の記録再生操作とは異なる動作のことである。例えば、再生中のポーズに関する操作が行われた場合には、ポインタ６はその位置で停止し、スロー再生の場合にはポインタ６もゆっくりと動く。
【００２５】
追っかけ再生の場合には、記録に関するポインタと再生に関するポインタとを別々に表示させるようにしても良い。さらに、保護情報の表示に基づいて、その保護情報の条件に沿った処理を自動的に行うように制御する制御部を有していても良い。
【００２６】
以上に説明したように、本実施の形態による記録再生装置では、記録媒体に既に記録済みの記録情報の種別などを表示させることにより、記録媒体毎に異なる記録済みの情報に関する保護情報を一見して知ることが出来る。また、保護情報の種別やその詳細な内容に関しても、モニタ表示させることにより、容易に報知することができる。この際、保護情報の種別が多い場合であっても、ハッチの種類などを変更することで識別が容易になるという利点がある。さらに、現在再生中又は記録中の情報を指示するポインタを設けることにより、それらに関する保護情報を簡単に知ることができるため、ユーザにとってより使い勝手の良いユーザインターフェースを構成することができるという利点もある。
【００２７】
また、記録媒体や装置の状態を表示装置に表示させると同時に、記録されている内容の保護情報も表示させることにより、ユーザは記録媒体に記録されている内容の保護情報を正確に把握できるようになる。これに加えて、ユーザは記録媒体に記録されている内容の保護情報を正確に把握した上で装置を操作できるため、保持期間制限や視聴回数制限により保護された情報に対して誤操作する可能性を減少させることができる。また、記録媒体に記録されている内容の保護情報を得るためだけの専用の表示手段を用いる必要がないないため、ユーザが、記録中もしくは再生中のタイムリーな情報を見逃す危険性を少なくするることもできる。
【産業上の利用可能性】
【００２８】
コンテンツの保護情報に関して見やすい表示を行うことにより、誤認識や誤操作などを防止することができ、これからのコンテンツの保護に役立つ。
【図面の簡単な説明】
【００２９】
【図１】本発明の一実施の形態による記録再生装置の構成例を示す図である。
【図２】本発明の位置実施の形態による記録再生装置における保護情報の表示例（図２（Ａ））とその表示の凡例（図２（Ｂ））を示す図である。
【図３】本発明の第１実施例による記録再生装置の構成例を示す図である。
【図４】本発明の第２実施例による記録再生装置の第１構成例を示す図である。
【図５】本発明の第２実施例による記録再生装置の第２構成例を示す図である。
【符号の説明】
【００３０】
Ａ…記録再生装置、ＳＰ…音声出力部、１…記録媒体の駆動部、１ａ…ＤＶＤ／ディスク、１ｂ…ＨＤＤ、２…表示装置（表示部）、２ａ…表示画面、２ｂ…出力制御部、２ｂ−１…音声デコーダ、２ｂ−２…映像デコーダ、２ｂ−３…情報検出部、２ｂ−４…映像／ＧＵＩ合成部（ＭＩＸ）、２ｃ…表示画面、ＳＰ…スピーカ、４…保護情報表示領域、５…保護情報表示領域の拡大図、６…ポインタ、７…軸、８…複製可能領域、９…複製世代管理領域、１０…保持期間制限領域、１１…視聴回数制限領域、１２…空き領域領域。
【図１】
2005339611.tif 000003
【図２】
2005339611.tif 000004
【図３】
2005339611.tif 000005
【図４】
2005339611.tif 000006
【図５】
2005339611.tif 000007